(57)【要約】      （修正有）【課題】弾力性のよいスポンジゴムの周囲に、スポンジゴムよりも硬い刺激突条部を凸付けしたことにより、脹ら脛や太腿に苦痛を感じることなく使用することができ、仰向けに寝転んで使用するので、下半身に負担をかけずにできる健康用具を提供する。【解決手段】丸棒に弾力性のよいスポンジゴム２を巻き付け、スポンジゴム２の周囲に木製、竹製又は硬質プラスチック製の複数の刺激突条部３を凸付けして設けた。また、スポンジゴムの周囲に複数の磁石を凸付けして設け、握りやすく安全に使用できるように健康用具の丸棒の両端にグリップ４を設けた。【選択図】図１
2016158965.tif 000002
【特許請求の範囲】
【請求項１】
丸棒の中央部にスポンジゴムを巻き付け、該スポンジゴムの周囲に木製、竹製又は硬質プラスチック製の複数の刺激突条部を凸付けして設けたことを特徴とする健康用具。
【請求項２】
請求項１の健康用具のスポンジゴムの周囲に複数の磁石を凸付けして設けたことを特徴とする健康用具。
【請求項３】
請求項１または請求項２の健康用具の丸棒の両端にグリップを設けたことを特徴とする健康用具。
【発明の詳細な説明】
【技術分野】
【０００１】
本発明は、健康用具に関するものである。
【背景技術】
【０００２】
従来から、健康用具として、肩叩きや足の裏のツボを刺激する踏み板などが利用されている。又、健康棒などもある。この例として、特許文献１に開示されているものがある。
【先行技術文献】
【特許文献】
【０００３】
【特許文献１】特開２００２−２０９９６０号公報
【発明の概要】
【発明が解決しようとする課題】
【０００４】
しかし、従来のような健康用具や健康棒では、脹ら脛や太腿を鍛えることが出来づらく非常に不便である（図１３参照）。本発明は、このような不都合を解決することを課題とする。
【課題を解決するための手段】
【０００５】
この課題を解決するための請求項１の発明は、丸棒の中央部にスポンジゴムを巻き付け、該スポンジゴムの周囲に木製、竹製又は硬質プラスチック製の複数の刺激突条部を凸付けして設けたことを特徴とする健康用具である。
【０００６】
また、請求項２の発明は、請求項１の健康用具のスポンジゴムの周囲に複数の磁石を凸付けして設けたことを特徴とする健康用具である。
【０００７】
また、請求項３の発明は、請求項１または請求項２の健康用具の丸棒の両端にグリップを設けたことを特徴とする健康用具である。
【発明の効果】
【０００８】
請求項１の健康用具は、弾力性のよいスポンジゴムの周囲にスポンジゴムよりも硬い刺激突条部を凸付けしたことにより、脹ら脛や太腿に苦痛を感じることなく使用することができ、仰向けに寝転んで使用するので、下半身に負担をかけずにできる。
【０００９】
また、請求項２の健康用具は、磁石を施したことにより、磁気の働きで足全体の改善強化につながる。
【００１０】
また、請求項３の健康用具は、グリップを設けたことにより、握りやすく安全に使用することができる。
【００１１】
本発明は、仰向けに寝転んで使用することで、膝関節、脹ら脛、アキレス腱、太腿、お尻まわりの筋肉を鍛えながら、血管なども解し、血液の循環をよくし、痛みなども解消することができ、又、この運動を長く続けることで、下半身の改善、強化ができる、優れものの健康用具である。
【図面の簡単な説明】
【００１２】
【図１】本発明に係る実施例１の健康用具の正面図である。
【図２】本発明に係る実施例１の健康用具の側面図である。
【図３】図２中のＡ−Ａ線矢視断面図である。
【図４】図１中のＢ−Ｂ線矢視断面図である。
【図５】本発明に係る実施例１の健康用具の使用状態を示す右側面図である。
【図６】本発明に係る実施例１の健康用具の他の使用状態を示す右側面図である。
【図７】本発明に係る実施例１の健康用具の他の使用状態を示す右側面図である。
【図８】本発明に係る実施例１の健康用具の他の使用状態を示す右側面図である。
【図９】本発明に係る実施例２の健康用具の正面図である。
【図１０】本発明に係る実施例２の健康用具の側面図である。
【図１１】図１０中のＡ−Ａ線矢視断面図である。
【図１２】図９中のＢ−Ｂ線矢視断面図である。
【図１３】従来の健康棒の正面図である。
【発明を実施するための形態】
【００１３】
以下、図１〜図１２を参照しながら、本発明に係る健康用具について説明する。
【実施例１】
【００１４】
図１〜図４に示すように、実施例１の健康用具１０は、丸棒１に弾力性のよいスポンジゴム２を巻き付け、このスポンジゴム２の周囲に複数の刺激突条部３を凸付けして設け、丸棒１の両端にグリップ４を設けて構成されている。
【００１５】
本実施例では、直径２５ｍｍ、長さ６０ｃｍの木製の丸棒１の長手方向中央に厚さ２ｃｍ、長さ３８ｃｍのスポンジゴム２を巻き付けている。そして、スポンジゴム２の周囲３箇所に、木製で硬い巾１５ｍｍ、厚さ７ｍｍ、長さ３８ｃｍの断面半月形状の刺激突条部３を凸付けしている。又、刺激突条部３は、竹製又は硬質プラスチック製でもよい。
【００１６】
図５〜図８を参照しながら、本実施例の健康用具１０の使用例について説明する。
【００１７】
図５に示すように、仰向けに寝転んだ姿勢で、本実施例の健康用具１０を膝関節の内側に宛がい、足を上下運動しながら、太腿にそって、ゆっくり、両手で健康用具１０を回転させながら、膝からお尻、お尻から膝までを繰返し移動すればよい。このことで、人間の第２の心臓とも言われる脹ら脛や太腿に刺激を与えながら、筋肉や血管を解し、痛みなどを解消しながら鍛えることができる。
【００１８】
また、図６に示すように、本実施例の健康用具１０を膝関節の内側に宛がって、足を上下運動することにより、膝関節の曲げ伸ばしする機能を改善し、且つ、痛みなども解消することができる。
【００１９】
また、図７に示すように、仰向けに寝転んだ姿勢で、本実施例の健康用具１０を脹ら脛と太腿に宛がい、足を上下運動することにより、脹ら脛や太腿に刺激を与えながら、筋肉を鍛え、又、血管を解し血液の循環をよくすることができる。
【００２０】
また、図８に示すように、仰向けに寝転んだ姿勢で、本実施例の健康用具１０をアキレス腱や踵と、お尻まわりに宛がい、足を上下運動することにより、アキレス腱や、踵と、お尻まわりの筋肉を鍛え、又、膝関節の痛みなどを解消し、下半身の曲げ伸ばしする機能を改善することができる。
【００２１】
このように本実施例の健康用具１０によれば、仰向けに寝転んだ姿勢で、例えば膝関節等の内側に宛がって足を上下運動すれば、硬い刺激突条部３が、脹ら脛や太腿に刺激を与えてくれる。しかも、このときに感じる痛みなどを、弾力性のよいスポンジゴム２のクッションにより、刺激突条部３が微妙な浮き沈みをするために、身体に与える痛みなどを適度に和らげてくれる。この運動を毎日数分間続けることで、下半身が軽く感じはじめ痛みも快楽に変ってくる。
【実施例２】
【００２２】
実施例２の健康用具２０は、図９〜図１２に示すように、スポンジゴム２の周囲に複数の磁石５を凸付けして設けた点に特徴があり、他の構成は上記実施例１と同様である。
【００２３】
本実施例では、スポンジゴム２の両端から８ｃｍ内側の周囲３箇所に、磁石５を左右３個ずつ凸付けして設けている。
【００２４】
実施例２の健康用具２０によれば、仰向けに寝転んだ姿勢で、膝関節等の内側に宛がって足を上下運動すれば、磁石５を施したことにより、磁石５の持つ磁気や効能の働きで血管や筋肉などを解し、足全体の改善強化につなげてくれる。又、この運動には脹ら脛や太腿はできるだけ素肌で行うと磁石の最大限の効果が期待できる。又、弾力性のあるスポンジゴムの表面に硬い磁石を凸付けしたために、刺激突条部３のような役割を果たす効果もある。
【符号の説明】
【００２５】
１０、２０    健康用具
１    丸棒
２    スポンジゴム
３    刺激突条部
４    グリップ
５    磁石
６    使用者
７    枕
８    敷布団や床などの平面
５０  従来の健康棒
【図１】
2016158965.tif 000003
【図２】
2016158965.tif 000004
【図３】
2016158965.tif 000005
【図４】
2016158965.tif 000006
【図５】
2016158965.tif 000007
【図６】
2016158965.tif 000008
【図７】
2016158965.tif 000009
【図８】
2016158965.tif 000010
【図９】
2016158965.tif 000011
【図１０】
2016158965.tif 000012
【図１１】
2016158965.tif 000013
【図１２】
2016158965.tif 000014
【図１３】
2016158965.tif 000015